(57)【特許請求の範囲】
【請求項１】
原稿の画像情報を読取るファクシミリ装置と、
このファクシミリ装置との間で、少なくとも送信先名およびその送信先名に対応するファクシミリ番号を示す送信先識別情報の入出力を行うコンピュータとを有し、
前記コンピュータには、
前記送信先識別情報を記憶するコンピュータ側記憶手段と、
このコンピュータ側記憶手段に記憶されている前記送信先識別情報を参照するコンピュータ側参照手段と、
前記コンピュータ側記憶手段に記憶されている前記送信先識別情報を出力するコンピュータ側出力手段とが備えられており、
前記ファクシミリ装置には、
そのファクシミリ装置側から指示することにより、前記コンピュータ側参照手段を介して前記コンピュータ側記憶手段に記憶されている前記送信先識別情報を参照可能な指示手段と、
前記送信先識別情報に含まれる送信先名に関する情報を入力するとともに、その入力された情報に対応する送信先識別情報の検索を命令する検索命令手段とが備えられており、
前記コンピュータ側参照手段は、
前記検索命令手段からの命令に基づいて、前記コンピュータ側記憶手段を検索して該当する送信先識別情報を抽出するものであり、
前記コンピュータ側出力手段は、
前記コンピュータ側参照手段によって抽出された結果を前記ファクシミリ装置へ出力するものであり、
前記ファクシミリ装置には、
さらに、前記コンピュータ側出力手段によって出力された前記送信先識別情報を装置内に入力させるファクシミリ装置側入力手段と、
前記コンピュータ側出力手段によって出力され、かつ、前記ファクシミリ装置側入力手段により入力された抽出結果を表示するファクシミリ装置側表示手段と、が備えられていることを特徴とするファクシミリシステム。
【請求項２】
前記ファクシミリ装置には、
前記ファクシミリ装置側入力手段によって入力された前記送信先識別情報を記憶するファクシミリ装置側記憶手段が備えられていることを特徴とする請求項１に記載のファクシミリシステム。
【請求項３】
前記ファクシミリ装置には、
前記送信先識別情報を前記ファクシミリ装置側記憶手段に登録するファクシミリ装置側登録手段と、
このファクシミリ装置側登録手段により前記ファクシミリ装置側記憶手段に登録された前記送信先識別情報を出力するファクシミリ装置側出力手段とが備えられており、
前記コンピュータには、
前記ファクシミリ装置側出力手段により前記ファクシミリ装置側記憶手段から出力された前記送信先識別情報を入力するコンピュータ側入力手段と、
前記コンピュータ側入力手段により入力された前記送信先識別情報を前記コンピュータ側記憶手段に記憶するコンピュータ側登録手段と、
が備えられていることを特徴とする請求項１または請求項２に記載のファクシミリシステム。
【請求項４】
前記コンピュータには、
前記ファクシミリ装置側表示手段により表示される抽出結果よりも多い抽出結果を表示可能なコンピュータ側表示手段が備えられていることを特徴とする請求項１ないし請求項３のいずれか１つに記載のファクシミリシステム。
【請求項５】
前記ファクシミリ装置には、
前記ファクシミリ装置側記憶手段に記憶されている前記送信先識別情報、および前記コンピュータ側参照手段によって参照される、前記コンピュータ側記憶手段に記憶されている前記送信先識別情報のうちの少なくとも１つの送信先識別情報を選択する選択手段と、
送信すべき画像情報を前記選択手段によって選択された送信先識別情報により示される送信先へインターネットを経由する通信経路およびインターネットを経由しない公衆通信交換網のいずれかを介して送信する送信手段と、
が備えられていることを特徴とする請求項２ないし請求項４のいずれか１つに記載のファクシミリシステム。
【請求項６】
前記ファクシミリ装置側記憶手段および前記コンピュータ側記憶手段は、
電子メールの送信先を特定するメールアドレスを前記送信先識別情報として記憶可能なものであり、
前記送信手段は、
前記選択手段により選択された送信先識別情報がメールアドレスである場合は、送信すべき画像情報をそのメールアドレスにより特定される送信先へ前記インターネットを経由する通信経路を介して送信するものであることを特徴とする請求項２ないし請求項５のいずれか１つに記載のファクシミリシステム。
【請求項７】
前記ファクシミリ装置は、
前記ファクシミリ装置側表示手段により表示された抽出結果に対応する送信先へ前記画像情報を送信することを特徴とする請求項１ないし請求項６のいずれか１つに記載のファクシミリシステム。
【請求項８】
前記ファクシミリ装置側出力手段は、
ファクシミリ装置の電源立上時に前記ファクシミリ装置側記憶手段に記憶されている前記送信先識別情報を前記コンピュータへ出力し、
前記コンピュータ側入力手段は、
前記ファクシミリ装置側出力手段により出力された前記送信先識別情報を入力し、
前記コンピュータ側登録手段は、前記コンピュータ側入力手段により入力された前記送信先識別情報を前記コンピュータ側記憶手段に記憶することを特徴とする請求項３ないし請求項７のいずれか１つに記載のファクシミリシステム。
【請求項９】
前記ファクシミリ装置側出力手段は、
前記ファクシミリ装置側登録手段により送信先識別情報が登録されたときに、その登録された送信先識別情報と同じ前記送信先識別情報を前記コンピュータへ出力し、
前記コンピュータ側入力手段は、前記ファクシミリ装置側出力手段により出力された前記送信先識別情報を入力し、
前記コンピュータ側登録手段は、前記コンピュータ側入力手段により入力された前記送信先識別情報を前記コンピュータ側記憶手段に記憶することを特徴とする請求項３ないし請求項８のいずれか１つに記載のファクシミリシステム。
【発明の詳細な説明】
【０００１】
【発明の属する技術分野】
本発明は、ファクシミリ装置と、このファクシミリ装置によって読取られた原稿の画像情報を送信する送信先名およびファクシミリ番号などを管理するコンピュータとを有するファクシミリシステムに関する。
【０００２】
【従来の技術】
従来のファクシミリ装置は、読み取った原稿の画像データを送信する送信先の送信先名およびファクシミリ番号を登録番号と対応付けて予め記憶しておき、送信時に送信先の登録番号を入力すると、その登録番号に対応する送信先名およびファクシミリ番号が読出され、液晶表示部に表示されるようになっていた。
そして、使用者が、その表示を確認してから送信ボタンを押すと、原稿の読取が開始されるとともに、その読み取った原稿の画像データが上記表示された送信先へ送信される。
しかし、上記従来のファクシミリ装置では、ファクシミリ番号を入力する際に押すテンキーや短縮ダイヤルボタンが、文字入力キーと兼用となっている。しかも、１つのキーに複数の文字を割り当てることにより、少ない数のキーで文字入力可能に構成されていて、また、個々のキー自体も小さいものであり、さらに、入力した文字を表示する液晶表示部の面積も小さい。
したがって、コンピュータやワープロに備えられたキーボードを用いる場合と同じ操作で文字を入力することができないため、送信先名を登録する作業に手間がかかるという問題があった。
そこで、そのような問題を解決するために、ファクシミリ装置にコンピュータを接続し、そのコンピュータによって送信先名およびファクシミリ番号などの送信先情報を入力し、その送信先情報をファクシミリ装置へ転送して記憶させるものが提案されている。
【０００３】
【発明が解決しようとする課題】
しかし、上記提案されているものは、ファクシミリ装置によって原稿を送信する際に、送信先情報を参照しようとすると、ファクシミリ装置が設置されている場所を離れてコンピュータが設置されている場所へ移動し、コンピュータを操作してディスプレイに表示しなければならない。
つまり、ファクシミリ装置側で送信先情報を参照できないという問題がある。
【０００４】
そこで、本発明は、ファクシミリ装置側からコンピュータ側に記憶されている送信先情報を参照できるファクシミリシステムを実現することを目的とする。
【０００５】
【課題を解決するための手段】
請求項１に記載の発明では、原稿の画像情報を読取るファクシミリ装置と、このファクシミリ装置との間で、少なくとも送信先名およびその送信先名に対応するファクシミリ番号を示す送信先識別情報の入出力を行うコンピュータとを有し、前記コンピュータには、前記送信先識別情報を記憶するコンピュータ側記憶手段と、このコンピュータ側記憶手段に記憶されている前記送信先識別情報を参照するコンピュータ側参照手段と、前記コンピュータ側記憶手段に記憶されている前記送信先識別情報を出力するコンピュータ側出力手段とが備えられており、前記ファクシミリ装置には、そのファクシミリ装置側から指示することにより、前記コンピュータ側参照手段を介して前記コンピュータ側記憶手段に記憶されている前記送信先識別情報を参照可能な指示手段と、前記送信先識別情報に含まれる送信先名に関する情報を入力するとともに、その入力された情報に対応する送信先識別情報の検索を命令する検索命令手段とが備えられており、前記コンピュータ側参照手段は、前記検索命令手段からの命令に基づいて、前記コンピュータ側記憶手段を検索して該当する送信先識別情報を抽出するものであり、前記コンピュータ側出力手段は、前記コンピュータ側参照手段によって抽出された結果を前記ファクシミリ装置へ出力するものであり、前記ファクシミリ装置には、さらに、前記コンピュータ側出力手段によって出力された前記送信先識別情報を装置内に入力させるファクシミリ装置側入力手段と、前記コンピュータ側出力手段によって出力され、かつ、前記ファクシミリ装置側入力手段により入力された抽出結果を表示するファクシミリ装置側表示手段と、が備えられていることを特徴とするファクシミリシステムという技術的手段を採用する。
【０００６】
請求項２に記載の発明では、請求項１に記載のファクシミリシステムにおいて、前記ファクシミリ装置には、前記ファクシミリ装置側入力手段によって入力された前記送信先識別情報を記憶するファクシミリ装置側記憶手段が備えられているという技術的手段を採用する。
【０００７】
請求項３に記載の発明では、請求項１または請求項２に記載のファクシミリシステムにおいて、前記ファクシミリ装置には、前記送信先識別情報を前記ファクシミリ装置側記憶手段に登録するファクシミリ装置側登録手段と、このファクシミリ装置側登録手段により前記ファクシミリ装置側記憶手段に登録された前記送信先識別情報を出力するファクシミリ装置側出力手段とが備えられており、前記コンピュータには、前記ファクシミリ装置側出力手段により前記ファクシミリ装置側記憶手段から出力された前記送信先識別情報を入力するコンピュータ側入力手段と、前記コンピュータ側入力手段により入力された前記送信先識別情報を前記コンピュータ側記憶手段に記憶するコンピュータ側登録手段と、が備えられているという技術的手段を採用する。
【０００８】
【０００９】
請求項４に記載の発明では、請求項１ないし請求項３のいずれか１つに記載のファクシミリシステムにおいて、前記コンピュータには、前記ファクシミリ装置側表示手段により表示される抽出結果よりも多い抽出結果を表示可能なコンピュータ側表示手段が備えられているという技術的手段を採用する。
【００１０】
請求項５に記載の発明では、請求項２ないし請求項４のいずれか１つに記載のファクシミリシステムにおいて、前記ファクシミリ装置には、前記ファクシミリ装置側記憶手段に記憶されている前記送信先識別情報、および前記コンピュータ側参照手段によって参照される、前記コンピュータ側記憶手段に記憶されている前記送信先識別情報のうちの少なくとも１つの送信先識別情報を選択する選択手段と、送信すべき画像情報を前記選択手段によって選択された送信先識別情報により示される送信先へインターネットを経由する通信経路およびインターネットを経由しない公衆通信交換網のいずれかを介して送信する送信手段と、が備えられているという技術的手段を採用する。
【００１１】
請求項６に記載の発明では、請求項２ないし請求項５のいずれか１つに記載のファクシミリシステムにおいて、前記ファクシミリ装置側記憶手段および前記コンピュータ側記憶手段は、電子メールの送信先を特定するメールアドレスを前記送信先識別情報として記憶可能なものであり、前記送信手段は、前記選択手段により選択された送信先識別情報がメールアドレスである場合は、送信すべき画像情報をそのメールアドレスにより特定される送信先へ前記インターネットを経由する通信経路を介して送信するものであるという技術的手段を採用する。
請求項７に記載の発明では、請求項１ないし請求項６のいずれか１つに記載のファクシミリシステムにおいて、前記ファクシミリ装置は、前記ファクシミリ装置側表示手段により表示された抽出結果に対応する送信先へ前記画像情報を送信するという技術的手段を採用する。
請求項８に記載の発明では、請求項３ないし請求項７のいずれか１つに記載のファクシミリシステムにおいて、前記ファクシミリ装置側出力手段は、ファクシミリ装置の電源立上時に前記ファクシミリ装置側記憶手段に記憶されている前記送信先識別情報を前記コンピュータへ出力し、前記コンピュータ側入力手段は、 前記ファクシミリ装置側出力手段により出力された前記送信先識別情報を入力し、前記コンピュータ側登録手段は、前記コンピュータ側入力手段により入力された前記送信先識別情報を前記コンピュータ側記憶手段に記憶するという技術的手段を採用する。
請求項９に記載の発明では、請求項３ないし請求項８のいずれか１つに記載のファクシミリシステムにおいて、前記ファクシミリ装置側出力手段は、前記ファクシミリ装置側登録手段により送信先識別情報が登録されたときに、その登録された送信先識別情報と同じ前記送信先識別情報を前記コンピュータへ出力し、前記コンピュータ側入力手段は、前記ファクシミリ装置側出力手段により出力された前記送信先識別情報を入力し、前記コンピュータ側登録手段は、前記コンピュータ側入力手段により入力された前記送信先識別情報を前記コンピュータ側記憶手段に記憶するという技術的手段を採用する。
【００１２】
【作用】
請求項１ないし請求項９に記載の発明は、上記技術的手段を有するため、上記指示手段により送信先識別情報を参照するための指示をコンピュータに与えると、コンピュータは、コンピュータ側参照手段によってコンピュータ側記憶手段に記憶されている送信先識別情報を参照し、その参照した送信先識別情報は、ファクシミリ装置によって参照可能となる。
したがって、ファクシミリ装置側において記憶しきれなかった送信先識別情報をコンピュータ側記憶手段に記憶させておけば、ファクシミリ装置側の指示手段により、コンピュータ側記憶手段内の送信先識別情報についても自由に参照できるので、実質的に記憶可能な送信先識別情報の量を大幅に増加させることができる。
また、上記ファクシミリ装置に備えられた検索命令手段は、上記送信先識別情報に含まれる送信先名に関する情報を入力するとともに、その入力された情報に対応する送信先識別情報の検索を命令し、上記コンピュータ側参照手段は、上記命令に基づいて、上記コンピュータ側記憶手段を検索して該当する送信先識別情報を抽出し、上記コンピュータ側出力手段は、上記抽出された結果をファクシミリ装置へ出力し、この出力された抽出結果は、ファクシミリ装置に備えられたファクシミリ装置側表示手段によって表示される。
つまり、ファクシミリ装置側からコンピュータ側に対して送信先識別情報の検索指令を出すことができ、また、その検索結果がファクシミリ装置側で表示され、内容を確認することができるため、上記検索結果をコンピュータ側のディスプレイで表示させ、その後、改めてファクシミリ装置側で送信先識別情報を入力するといった手間を省くことができる。
【００１３】
特に、請求項２に記載の発明では、上記ファクシミリ装置側記憶手段は、コンピュータ側出力手段によって出力され、ファクシミリ装置側入力手段によって入力された送信先識別情報を記憶する。
したがって、たとえば、所望の送信先識別情報がコンピュータ側記憶手段に記憶されている場合、その情報を参照し、ファクシミリ装置側に取り込んで記憶させることができれば、その記憶された情報に基づいて、所望の送信先に容易に画像情報を送信することができる。
【００１４】
また、請求項３に記載の発明では、上記ファクシミリ装置側出力手段は、上記送信先識別情報をファクシミリ装置側記憶手段に登録するファクシミリ装置側登録手段によって登録された送信先識別情報を出力し、この出力された送信先識別情報は、上記コンピュータに備えられたコンピュータ側入力手段によって入力され、その入力された送信先識別情報は、上記コンピュータ側登録手段によって上記コンピュータ側記憶手段に記憶される。
つまり、ファクシミリ装置側で登録された送信先識別情報をコンピュータ側にも自動的に登録させることができるため、同じ送信先識別情報をファクシミリ装置とコンピュータとの両方で管理することができ、たとえば、使用する頻度が少なくなった送信先識別情報について、ファクシミリ装置側記憶手段から削除してしまっても、コンピュータ側記憶手段で残しておくことができるので、ファクシミリ装置側記憶手段を有効活用でき、さらに、請求項２の手法と組み合わせることで、一旦削除してしまった情報を容易にファクシミリ装置側記憶手段に取り戻すことも可能となる。
【００１５】
【００１６】
また、請求項４に記載の発明では、コンピュータに備えられたコンピュータ側表示手段は、上記ファクシミリ装置側表示手段により表示される抽出結果よりも多い抽出結果を表示可能である。
つまり、ファクシミリ装置側表示手段は、たとえば、液晶表示部のように一般的に面積が小さいため、表示された内容が見難いが、たとえば、ＣＲＴディスプレイのように上記液晶表示部よりも面積の大きいコンピュータ側表示手段を用いれば、上記液晶表示部よりも多くの抽出結果を表示できる。
したがって、コンピュータ側参照手段による抽出結果が、ファクシミリ装置に設けられた表示手段に表示しきれない情報量である場合、その情報の出力先をコンピュータ側表示手段に切替えるように構成しておけば、たとえば、同じ頭文字の付く送信先名のリストを表示する場合は、そのリストを上記コンピュータ側表示手段に表示した方が、上記ファクシミリ装置側表示手段により表示する場合よりも多くのリストを表示できるため、目的の送信先名を迅速に探し出すことができる。
【００１７】
さらに、請求項５に記載の発明では、上記ファクシミリ装置に備えられた選択手段は、上記ファクシミリ装置側記憶手段に記憶されている送信先識別情報、および上記コンピュータ側参照手段によって参照される、上記コンピュータ側記憶手段に記憶されている送信先識別情報のうちの少なくとも１つの送信先識別情報を選択し、ファクシミリ装置に備えられた送信手段は、送信すべき画像情報を上記選択された送信先識別情報により示される送信先へインターネットを経由する通信経路およびインターネットを経由しない公衆通信交換網のいずれかを介して送信する。
つまり、ファクシミリ装置に備えられた選択手段によって、送信先識別情報をファクシミリ装置およびコンピュータのどちらの記憶手段からでも選択することができ、その選択した送信先識別情報により示される送信先へインターネットを経由して、または、経由しないで送信できる。
たとえば、所望の送信先識別情報がコンピュータ側記憶手段に記憶されている場合でも、ファクシミリ装置側からの指示により参照することができ、また、選択手段によって選択すれば、必要な送信先識別情報を自動的にファクシミリ装置側に取込み、それに基づいて所望の送信先に画像情報を送信することができる。このとき、使用者は、ファクシミリ装置側のみで総ての操作を行うことができる。
【００１８】
特に、請求項６に記載の発明では、上記ファクシミリ装置側記憶手段およびコンピュータ側記憶手段は、電子メールの送信先を特定するメールアドレスを送信先識別情報として記憶可能なものであり、上記送信手段は、上記選択手段により選択された送信先識別情報がメールアドレスである場合は、送信すべき画像情報をそのメールアドレスにより特定される送信先へインターネットを経由する通信経路を介して送信する。
つまり、選択した送信先識別情報がメールアドレスである場合は、インターネットを経由する通信経路を自動的に選択し、画像情報を送信することができる。
したがって、選択した送信先識別情報の種類によって通信経路を切替える手間を省くことができる。
また、一般的にメールアドレスは、複数の文字や記号から成り、それを従来のファクシミリ装置に備えられた文字入力に適していない入力キー、および小さな液晶表示部を用いて登録を行うと、時間がかかり、非常に作業効率の悪いものになるが、本発明によれば、コンピュータ側に備えられた通常のキーボードを用いて、大きな表示部により入力作業を行うことができるため、作業効率が大幅に向上し、その入力した送信先識別情報をファクシミリ装置側から参照でき、さらには、必要な情報であれば、ファクシミリ装置側からの操作により取り込むことができるので、インターネットを経由して画像情報を送信する機能を備えた装置にとっては非常に有効なものとなる。
請求項７に記載の発明では、ファクシミリ装置は、ファクシミリ装置側表示手段により表示された抽出結果に対応する送信先へ画像情報を送信する。
つまり、使用者は、ファクシミリ装置側の操作のみで、コンピュータ側記憶手段に記憶されている送信先に対しても画像情報を送信することができる。
請求項８に記載の発明では、ファクシミリ装置側出力手段は、ファクシミリ装置の電源立上時にファクシミリ装置側記憶手段に記憶されている送信先識別情報をコンピュータへ出力し、コンピュータ側入力手段は、ファクシミリ装置側出力手段により出力された送信先識別情報を入力し、コンピュータ側登録手段は、コンピュータ側入力手段により入力された送信先識別情報をコンピュータ側記憶手段に記憶する。
請求項９に記載の発明では、ファクシミリ装置側出力手段は、ファクシミリ装置側登録手段により送信先識別情報が登録されたときに、その登録された送信先識別情報と同じ送信先識別情報をコンピュータへ出力し、コンピュータ側入力手段は、ファクシミリ装置側出力手段により出力された送信先識別情報を入力し、コンピュータ側登録手段は、コンピュータ側入力手段により入力された送信先識別情報をコンピュータ側記憶手段に記憶する。
つまり、請求項８または請求項９に記載の発明によれば、ファクシミリ装置の電源立上時にファクシミリ装置側記憶手段に記憶されている送信先識別情報、または、ファクシミリ装置側登録手段により送信先識別情報が登録されたときに、その登録された送信先識別情報と同じ送信先識別情報と同じ送信先識別情報が、コンピュータ側記憶手段に自動的に記憶されるため、ファクシミリ装置およびコンピュータの何れを操作しても、同じ内容の送信先識別情報を見ることができるので便利である。
【００１９】
【発明の実施の形態】
以下、本発明のファクシミリシステムの一実施形態について図を参照して説明する。
最初に、ファクシミリシステムが接続されている通信回線の構成について、それをブロックで示す図１を参照して説明する。
ファクシミリシステム１は、ファクシミリ装置３と、このファクシミリ装置３と接続ケーブル４により接続されたパーソナルコンピュータ（以下、ＰＣと略称する）２とから構成される。
ファクシミリ装置３は、電話回線５によって電話交換機６に接続されており、電話交換機６は、ＰＯＰＳ（Ｐｏｓｔ  Ｏｆｆｉｃｅ  Ｐｒｏｔｏｃｏｌ  Ｓｅｒｖｅｒ）１１およびＳＭＴＰ（Ｓｉｍｐｌｅ  Ｍａｉｌ  Ｔｒａｎｓｆｅｒ  Ｐｒｏｔｏｃｏｌ  Ｓｅｒｖｅｒ）７を介してインターネットＡに接続されている。インターネットＡは、ＳＭＴＰ８と接続されており、ＳＭＴＰ８は、ＰＯＰＳ１２および電話交換機９を介して送信先のファクシミリ装置１０と接続されている。
また、電話交換機６および電話交換機９は、公衆通信交換網Ｂによって接続されている。
なお、送信先のファクシミリ装置１０は、インターネットＡ、または、公衆通信交換網Ｂを介してデータを送受信する機能を有する。
【００２０】
次に、ＰＣ２の構成について、その外観を示す図２を参照して説明する。
ＰＣ２には、ＣＰＵが内蔵されたコンピュータ本体２１と、キーボード２２と、マウス２３と、ＣＲＴモニタ２４とが備えられており、コンピュータ本体２１には、接続ケーブル４によりファクシミリ装置３が接続されている。キーボード２２は、送信先名、ファクシミリ番号およびメールアドレスなどの送信先識別情報の入力などに用いる。また、コンピュータ本体２１には、３．５インチのフロッピィーディスク（以下、ＦＤと略称する）をドライブするＦＤドライブ２６と、ＣＤ−ＲＯＭをドライブするＣＤ−ＲＯＭドライブ２７とが設けられている。ＦＤドライブ２６、または、ＣＤ−ＲＯＭドライブ２７は、送信先識別情報を管理するアプリケーションプログラムなどのインストールに用いる。
ところで、ＣＲＴモニタ２４が請求項４に記載のコンピュータ側表示手段に対応する。
【００２１】
次に、ＰＣ２の電気的構成について、それをブロックで示す図４を参照して説明する。
コンピュータ本体２１の内部には、ファクシミリ装置３から送信する画像情報の送信先名、ファクシミリ番号およびメールアドレスなどの送信先識別情報が登録された電話帳の管理を行うためのアプリケーションプログラム、ならびに、オペレーティングシステムなどを実行するＣＰＵ２５が設けられている。このＣＰＵ２５には、ＲＯＭ２１ａと、ＲＡＭ２１ｂと、ハードディスクドライブ（以下、ＨＤＤと略称する）２８と、ファクシミリ装置３から送信される各種コマンドを接続ケーブル４を介して受信するためのインターフェース（ＩＦ）２９とが接続されている。
ＨＤＤ２８には、オペレーティングシステム２８ａ、各種アプリケーションプログラム２８ｂおよび電話帳２８ｃなどが記憶されている。
【００２２】
ここで、電話帳２８ｃの構成について、それを示す図６を参照して説明する。
電話帳２８ｃは、Ｎｏ．１〜１００の１００組の電話帳データを登録できるように構成されており、各電話帳データには、送信先名、送信先のファクシミリ番号および送信先のメールアドレスがそれぞれ対応付けて登録されている。
ところで、ＨＤＤ２８が請求項１に記載のコンピュータ側記憶手段に対応する。
【００２３】
次に、ファクシミリ装置３の構成について、それを示す図３を参照して説明する。
なお、本実施形態では、ファクシミリ装置３として、ファクシミリ機能、イメージスキャナ機能、プリンタ機能およびコピー機能などの複数の機能を備えたマルチファンクションタイプのファクシミリ装置を代表に説明する。
【００２４】
ファクシミリ装置１には、箱形状のハウジング３ｊが備えられており、このハウジング３ｊの上面前部には操作パネル３ａが設けられている。操作パネル３ａには、送信先のファクシミリ番号などを入力するための「０」〜「９」のテンキー３ｂ、原稿の読取開始などを指示するためのスタートボタン３ｃ、画像情報の送信中止などを指示するためのストップボタン３ｄ、短縮ファクシミリ番号を用いて画像情報を送信するための短縮ダイヤルボタン３ｅ、ＰＣ２のＣＰＵ２５に対してＨＤＤ２８に記憶されている電話帳２８ｃの検索を実行させるための検索ボタン３ｆ、テンキー３ｂを用いて入力された送信先情報の登録を決定するための登録ボタン３ｇなどが設けられている。
なお、テンキー３ｂは、文字や記号も入力できるようになっており、電子メールの送信先名およびメールアドレスの入力にも用いられる。
【００２５】
操作パネル３ａの後部には、送信先名、ファクシミリ番号、メールアドレス、ファクシミリ装置３の動作状態などを表示する液晶表示部（ＬＣＤ）３ｈが設けられており、この液晶表示部３ｈの後部には、送信原稿やコピー原稿をセットする原稿セット部３ｉが設けられている。この原稿セット部３ｉにセットされた原稿は、ハウジング３ｊの内部に設けられた紙送り機構（図示省略）によってハウジング３ｊの内部へ搬送され、この搬送された原稿の画像情報は、イメージスキャナ（図５に符号３８で示す）によって読み取られる。この読取られた原稿は、操作パネル３ａの下方に設けられた原稿排出口３ｋを介してトレイ３ｍ上に積層可能に排出される。
【００２６】
原稿セット部３ｉの後部には、受信した画像情報や印刷データを記録するための記録用紙をセットする記録用紙セット部３ｎが設けられている。この記録用紙セット部３ｎには、複数枚の記録用紙を積層して収納可能な記録用紙カセット（図示省略）が着脱自在に取り付けられる。この記録用紙カセットに収納された記録用紙は、上記紙送り機構によってハウジング３ｊの内部へ搬送され、この搬送された記録用紙は、プリンタ（図５に符号４９で示す）によって記録が行われる。この記録された記録用紙は、トレイ３ｍの下方に設けられた記録用紙排出部３ｐから排出される。
【００２７】
また、ハウジング３ｊの前面右下にはビデオ信号入力端子３ｑが設けられており、このビデオ信号入力端子３ｑに接続されたビデオカメラなどから出力されるビデオ信号は、ファクシミリ装置３の内部へ取り込まれ、プリンタにより印刷される。
なお、図示しないが、ハウジング３ｊの背面には、電話回線５を接続するための通信端子と、ＰＣ２と接続するための接続ケーブル４を接続する端子とが設けられており、左側面には、送信先と通話などを行うための受話器が設けられている。
ところで、検索ボタン３ｆが請求項１に記載の指示手段に対応し、液晶表示部３ｈが請求項１に記載のファクシミリ装置側表示手段に対応する。
【００２８】
次に、ファクシミリ装置３の電気的構成について、それをブロックで示す図５を参照して説明する。
ファクシミリ装置３には、ファクシミリユニットＦＵおよびプリンタユニットＰＵが備えられており、両ユニットは、インターフェース４２により相互に接続されている。
【００２９】
ファクシミリユニットＦＵには、イメージスキャナ３８の動作の制御、画像情報の送受信の制御、ＰＣ２間での各種コマンドおよび送信先情報の入出力制御などを実行するＣＰＵ３０が備えられている。ＣＰＵ３０は、ファクシミリ制御回路４１に接続されており、ファクシミリ制御回路４１には、ＲＯＭ３１、ＲＡＭ３２およびＥＥＰＲＯＭ３３が接続されている。ＲＯＭ３１には、ＣＰＵ３０が上記各種制御を実行するための制御プログラム３１ａが記憶され、ＲＡＭ３２には、イメージスキャナ３８により読取られた原稿の画像情報などが一時的に記憶される。また、ＥＥＰＲＯＭ３３には、ＰＣ２のＨＤＤ２８に格納されている電話帳２８ｃ（図６）と同じ構成の電話帳が書換可能に記憶される。さらに、短縮ダイヤルボタン３ｅは、登録番号の１〜１２と対応しているため、それ以外の登録番号は、テンキー３ｂにより直接登録番号を入力することでＥＥＰＲＯＭ３３より呼出可能になっている。
【００３０】
また、ファクシミリ制御回路４１には、ＰＣ２が接続されるＰＣ用インターフェース３９と、ＮＣＵ３４と、モデム３５と、原稿がセットされたことを検出する原稿センサ４０とが接続されている。さらに、ファクシミリ制御回路４１には、イメージスキャナ３８によりスキャンされた画像情報を圧縮されたデータに変換するために符号化する符号器３６と、受信された画像情報の符号化されたデータを復号化する復号器３７とが接続されている。
【００３１】
プリンタユニットＰＵには、プリンタ４９を制御するプリンタ制御回路４３が備えられており、このプリンタ制御回路４３には、プリンタ４９を制御するプログラムを実行するＣＰＵ４４が接続されている。また、プリンタ制御回路４３には、ＣＰＵ４４により実行されるプログラムなどが記憶されたＲＯＭ４５と、ＣＰＵ４４の実行時に使用されるワークメモリや印刷用データを記憶するプリントメモリなどを有するＲＡＭ４６と、ＰＣ２が接続されるＰＣ用インターフェース４７と、印刷用の文字などのベクトルフォントが記憶されたキャラクタジェネレータ（ＣＧ）４８と、プリンタ４９とが接続されている。
なお、本実施形態では、ＰＣ用インターフェース３９は、セントロニクス規格に準拠したパラレルインターフェースであり、ファクシミリ装置３は、そのＰＣ用インターフェース３９に接続されたケーブル４を介してＰＣ２とデータの送受信を行う。
ところで、ＥＥＰＲＯＭ３３が請求項２に記載のファクシミリ装置側記憶手段に対応する。
【００３２】
次に、ファクシミリ装置３によるＰＣ２のＨＤＤ２８に記憶されている電話帳２８ｃの参照要求から、ファクシミリ装置３が電子メールを送信するまでに実行されるＣＰＵ３０およびＣＰＵ２５の処理内容について図７ないし図１０を参照して説明する。
最初に、ＣＰＵ３０およびＣＰＵ２５により実行される主な処理内容について、それを示す図７のフローチャートを参照して説明する。
ファクシミリ装置３に備えられたＣＰＵ３０は、送信先情報をＥＥＰＲＯＭ３３の電話帳に登録する登録処理（ステップ１００）と、ＰＣ２に対して送信先識別情報の検索を要求する検索要求処理（ステップ１２０）と、イメージスキャナ３８によってスキャンされた原稿の画像情報を電子メールに添付してインターネットを介して送信する、または、公衆電話回線で相手先ファクシミリ装置に送信する送信処理（ステップ１４０）とを実行する。
【００３３】
また、ＰＣ２に備えられたＣＰＵ２５は、ファクシミリ装置３の電源立上時および送信先識別情報の登録時に同期して、ファクシミリ装置３に記憶されている電話帳と同じ内容の電話帳を登録するための同期登録処理（ステップ２００）と、ファクシミリ３のＣＰＵ３０からの検索要求処理に応じて送信先識別情報を検索する検索処理（ステップ２２０）とを実行する。
【００３４】
次に、ＣＰＵ３０がステップ１００で実行する登録処理およびＣＰＵ２５がステップ２００で実行する同期登録処理の内容について、それらを示す図８のフローチャートを参照して説明する。
まず、ＣＰＵ３０は、ファクシミリ装置３の電源ＯＮを検出すると（ステップ１０２：Ｙｅｓ）、ＥＥＰＲＯＭ３３に記憶されている電話帳データを読出し（ステップ１０４）、その読出した電話帳データをＰＣ用インターフェース３９を介してＰＣ２へ出力する（ステップ１０６）。
一方、ＰＣ２のＣＰＵ２５は、上記出力された電話帳データを入力し（ステップ２０２）、自己のＨＤＤ２８の電話帳２８ｃに登録する（ステップ２０４）。このとき、ＨＤＤ２８の電話帳２８ｃが古いデータである場合は、新しいデータに更新される。
次に、ＣＰＵ３０は、ファクシミリ３が送信先識別情報を登録するモードになっているかを判定し（ステップ１０８）、そのモードになっている場合は（ステップ１０８：Ｙｅｓ）、使用者のテンキー３ｂの操作によって入力される送信先識別情報を入力する（ステップ１１０）。
【００３５】
そして、ＣＰＵ３０は、上記入力された送信先情報の登録を決定するための登録ボタン３ｇのＯＮを検出すると（ステップ１１２）、ステップ１１０で入力された送信先識別情報をＥＥＰＲＯＭ３３に登録する（ステップ１１４）。続いて、ＣＰＵ３０は、その登録された送信先識別情報と同じ送信先識別情報をＰＣ２へ出力し（ステップ１１６）、ＣＰＵ２５は、その出力された送信先識別情報を入力する（ステップ２０６）。続いて、ＣＰＵ２５は、その入力した送信先識別情報をＨＤＤ２８の電話帳２８ｃに登録し（ステップ２０８）、更新された電話帳の内容をＣＲＴモニタ２４に表示する（ステップ２１０）。
このように、本実施形態のファクシミリシステム１を用いれば、ファクシミリ装置３が記憶している電話帳と同じ内容の電話帳をＰＣ２に自動的に記憶することができ、ファクシミリ装置３およびＰＣ２の何れを操作しても、同じ内容の電話帳を見ることができるため便利である。
【００３６】
次に、ＣＰＵ３０が図７のステップ１２０で実行する検索要求処理およびＣＰＵ２５がステップ２２０で実行する検索処理の内容について、それらを示す図９のフローチャートを参照して説明する。
まず、ＣＰＵ３０は、検索文字、つまり送信先名の頭文字、または、送信先名の一部を示す文字がテンキー３ｂを用いて入力されたことを検出し（ステップ１２２：Ｙｅｓ）、検索ボタン３ｆのＯＮを検出すると（ステップ１２４：Ｙｅｓ）、上記入力された検索文字を有する送信先識別情報の検索要求を示す検索要求コマンドをＰＣ２へ出力する（ステップ１２６）。
そして、ＣＰＵ２５は、上記検索要求コマンドの入力を検出すると（ステップ２２２：Ｙｅｓ）、その検索要求コマンドに示される検索文字を有する送信先識別情報を自己のＨＤＤ２８の電話帳２８ｃの中から検索して抽出し（ステップ２２４）、その抽出結果をファクシミリ装置３へ出力する（ステップ２２６）。
【００３７】
続いて、ＣＰＵ３０は、上記出力された抽出結果を入力し（ステップ１２８）、液晶表示部３ｈに表示する（ステップ１３０）。続いて、その抽出結果が複数ある場合は、テンキー３ｂを用いて１つの送信先識別情報を選択し（ステップ１３２）、登録ボタン３ｇのＯＮを検出すると（ステップ１３４：Ｙｅｓ）、上記選択された送信先識別情報をＥＥＰＲＯＭ３３の電話帳に登録する（ステップ１３６）。
このように、本実施形態のファクシミリシステム１を用いれば、ファクシミリ装置３側からＰＣ２が記憶している電話帳の検索を行うことができる。
したがって、検索を行うたびに、ファクシミリ装置３が設置されている場所からＰＣ２が設置されている場所へ移動する手間を省くことができる。
【００３８】
次に、ＣＰＵ３０が図７のステップ１４０で実行する送信処理の内容について、それを示す図１０のフローチャートを参照して説明する。
なお、ここでは、ファクシミリ装置３を操作する者は、登録Ｎｏ．１（図６）に登録されている送信先へ画像情報を電子メールに添付して送信するものとする。
ＣＰＵ３０は、短縮ダイヤルボタン３ｅによって登録Ｎｏ．１の送信先の選択を検出すると（ステップ１４２：Ｙｅｓ）、その選択した送信先にメールアドレスがあるか否かを判定する（ステップ１４４）。ここでは、図６に示すように、登録Ｎｏ．１の送信先にはメールアドレスが登録されているため、ステップ１４６へ進み（ステップ１４４：Ｙｅｓ）、電子メール送信用のソフトを立ち上げる（ステップ１４６）。
【００３９】
そして、ＣＰＵ３０は、送信ボタン３ｃのＯＮを検出し（ステップ１４８：Ｙｅｓ）、原稿センサ４０の出力信号に基づいて原稿がセットされていることを検出すると（ステップ１５０）、電子メールを作成し（ステップ１５２）、イメージスキャナ３８に原稿のスキャンを開始させる（ステップ１５４）。そして、ＣＰＵ３０は、原稿のスキャン終了を検出すると（ステップ１５６：Ｙｅｓ）、ＳＭＴＰ７へダイヤリングを行い（ステップ１５８）、接続すると（ステップ１６０）、上記スキャンした原稿の画像データが添付された電子メールを送信する（ステップ１６２）。
【００４０】
この電子メールは、ＳＭＴＰ７からインターネットＡおよびＳＭＴＰ８を介してＰＯＰＳ１２へ配信される。そして、送信先のファクシミリ装置１０からＰＯＰＳ１２へアクセスすることにより、ＰＯＰＳ１２に蓄積されている電子メールをファクシミリ装置１０によって受信することができる。
また、ＣＰＵ３０は、ステップ１４４において、選択した送信先にメールアドレスがないと判定した場合は（ステップ１４４：Ｎｏ）、送信ボタン３ｃのＯＮを検出し（ステップ１６４：Ｙｅｓ）、原稿センサ４０の出力信号に基づいて原稿がセットされていることを検出すると（ステップ１６６）、イメージスキャナ３８に原稿のスキャンを開始させる（ステップ１６８）。そして、ＣＰＵ３０は、原稿のスキャン終了を検出すると（ステップ１７０：Ｙｅｓ）、電話交換機６へダイヤリングを行い（ステップ１７２）、接続すると（ステップ１７４）、上記スキャンした原稿の画像データを送信する（ステップ１７６）。
このように、本実施形態のファクシミリシステムを用いれば、選択した送信先にメールアドレスが登録されている場合は、インターネットＡを経由する通信経路が自動的に選択され、画像情報を電子メールに添付して送信することができる。
したがって、選択した送信先のメールアドレスの有無によって通信経路を切替える手間を省くことができる。
なお、選択した送信先にメールアドレスの他にファクシミリ番号がある場合は、通信経路をインターネットＡを経由しない公衆通信交換網Ｂに手動で切替えることもできる。
【００４１】
ところで、上記実施形態では、図９に示す処理によりコンピュータ側に記憶されている電話帳データを検索により抽出して、ファクシミリ装置側に一旦登録させ、図１０に示す処理で、ファクシミリ装置に登録されている電話帳データを指定して画像情報を送信するように構成されているが、コンピュータ側から抽出した電話帳データをＥＥＰＲＯＭ３３に登録させずに、仮の記憶領域に記憶させておいて、その電話帳データが示す送信先に画像情報を送信するように構成してもよい。
この場合、ファクシミリ装置に記憶されていない送信先があり、使用者がその送信先の文字列に基づいて検索操作を行えば、コンピュータ内の電話帳が検索され、該当する電話帳データが自動的にファクシミリ装置内に取り込まれて仮の記憶領域に記憶され、たとえば、表示部に表示されるので、使用者は、表示内容を確認し、正しければ送信ボタンを押下するだけで、所望の送信先へ画像情報を送信することができる。
つまり、使用者は、ファクシミリ装置側の操作のみで、コンピュータ側の電話帳に登録されている送信先に対しても画像情報を送信することができる。
また、コンピュータ側の電話帳を検索した際に、ファクシミリ装置の表示部では表示しきれない量の電話帳データが抽出された場合には、一旦、コンピュータ側の表示部に総ての電話帳データを表示させ、その中から所望とする電話帳データを使用者に選択させ、その選択に基づいて、ファクシミリ装置側に電話帳データを取り込むように構成してもよい。
【００４２】
ところで、ＣＰＵ２５により実行されるステップ２２４が請求項１に記載のコンピュータ側参照手段として機能し、ＣＰＵ３０により実行されるステップ１２６が指示手段として機能する。また、ＣＰＵ２５により実行されるステップ２２６が請求項１に記載のコンピュータ側出力手段として機能し、ＣＰＵ３０により実行されるステップ１２８がファクシミリ装置側入力手段として機能する。
さらに、ＣＰＵ３０により実行されるステップ１１４が請求項３に記載のファクシミリ装置側登録手段として機能し、ステップ１１６がファクシミリ装置側出力手段として機能し、ＣＰＵ２５により実行されるステップ２０６がコンピュータ側入力手段として機能する。
また、ＣＰＵ３０により実行されるステップ１３０が請求項１に記載のファクシミリ装置側表示手段として機能する。さらに、ＣＰＵ２５により実行されるステップ２１０が請求項４に記載のコンピュータ側表示手段として機能する。また、ＣＰＵ３０により実行されるステップ１４２が請求項５に記載の選択手段として機能し、ステップ１６２が送信手段として機能する。
【００４３】
【発明の効果】
以上のように、請求項１ないし請求項９に記載の発明によれば、指示手段により送信先識別情報を参照するための指示をコンピュータに与えると、コンピュータはコンピュータ側参照手段によってコンピュータ側記憶手段に記憶されている送信先識別情報を参照し、その参照した送信先識別情報は、ファクシミリ装置によって参照可能となる。
したがって、ファクシミリ装置側において記憶しきれなかった送信識別情報をコンピュータ側記憶手段に記憶させておけば、ファクシミリ装置側の指示手段により、コンピュータ側記憶手段内の送信先識別情報についても自由に参照できるので、実質的に記憶可能な送信先識別情報の量を大幅に増加させることができる。
また、上記ファクシミリ装置に備えられた検索命令手段は、上記送信先識別情報に含まれる送信先名に関する情報を入力するとともに、その入力された情報に対応する送信先識別情報の検索を命令し、上記コンピュータ側参照手段は、上記命令に基づいて、上記コンピュータ側記憶手段を検索して該当する送信先識別情報を抽出し、上記コンピュータ側出力手段は、上記抽出された結果をファクシミリ装置へ出力し、この出力された抽出結果は、ファクシミリ装置に備えられたファクシミリ装置側表示手段によって表示される。
つまり、ファクシミリ装置側からコンピュータ側に対して送信先識別情報の検索指令を出すことができ、また、その検索結果がファクシミリ装置側で表示され、内容を確認することができるため、上記検索結果をコンピュータ側のディスプレイで表示させ、その後、改めてファクシミリ装置側で送信先識別情報を入力するといった手間を省くことができる。
【００４４】
特に、請求項２に記載の発明によれば、コンピュータ側記憶手段に記憶されている送信先識別情報をファクシミリ装置側記憶手段に取り込むことができるので、たとえば、所望の送信先識別情報がコンピュータ側記憶手段に記憶されている場合、その情報を参照し、ファクシミリ装置側に取り込んで記憶させることができれば、その記憶された情報に基づいて、所望の送信先に容易に画像情報を送信することができる。
【００４５】
また、請求項３に記載の発明によれば、ファクシミリ装置側で登録された送信先識別情報をコンピュータ側にも自動的に登録させることができるため、同じ送信先識別情報をファクシミリ装置とコンピュータとの両方で管理することができ、たとえば、使用する頻度が少なくなった送信先識別情報について、ファクシミリ装置側記憶手段から削除してしまっても、コンピュータ側記憶手段で残しておくことができるので、ファクシミリ装置側記憶手段を有効活用でき、さらに、請求項２の手法と組み合わせることで、一旦削除してしまった情報を容易にファクシミリ装置側記憶手段に取り戻すことも可能となる。
【００４６】
【００４７】
また、請求項４に記載の発明によれば、コンピュータ側表示手段は、ファクシミリ装置側表示手段よりも多い抽出結果を表示可能であるので、コンピュータ側参照手段による抽出結果が、ファクシミリ装置に設けられた表示手段に表示しきれない情報量である場合、その情報の出力先をコンピュータ側表示手段に切替えるように構成しておけば、たとえば、同じ頭文字の付く送信先名のリストを表示する場合は、そのリストを上記コンピュータ側表示手段に表示した方が、上記ファクシミリ装置側表示手段により表示する場合よりも多くのリストを表示できるため、目的の送信先名を迅速に探し出すことができる。
【００４８】
さらに、請求項５に記載の発明によれば、ファクシミリ装置に備えられた選択手段によって送信先識別情報をファクシミリ装置およびコンピュータのどちらの記憶手段からでも選択することができ、その選択した送信先識別情報により示される送信先へインターネットを経由して、または、経由しないで送信できる。
たとえば、所望の送信先識別情報がコンピュータ側記憶手段に記憶されている場合でも、ファクシミリ装置側からの指示により参照することができ、また、選択手段によって選択すれば、必要な送信先識別情報を自動的にファクシミリ装置側に取込み、それに基づいて所望の送信先に画像情報を送信することができる。このとき、使用者は、ファクシミリ装置側のみで総ての操作を行うことができる。
【００４９】
特に、請求項６に記載の発明によれば、選択した送信先識別情報がメールアドレスである場合は、インターネットを経由する通信経路を自動的に選択し、画像情報を送信することができるため、選択した送信先識別情報の種類によって通信経路を切替える手間を省くことができる。
また、一般的にメールアドレスは、複数の文字や記号から成り、それを従来のファクシミリ装置に備えられた文字入力に適していない入力キー、および小さな液晶表示部を用いて登録を行うと、時間がかかり、非常に作業効率の悪いものになるが、本発明によれば、コンピュータ側に備えられた通常のキーボードを用いて、大きな表示部により入力作業を行うことができるため、作業効率が大幅に向上し、その入力した送信先識別情報をファクシミリ装置側から参照でき、さらには、必要な情報であれば、ファクシミリ装置側からの操作により取り込むことができるので、インターネットを経由して画像情報を送信する機能を備えた装置にとっては非常に有効なものとなる。
請求項８または請求項９に記載の発明によれば、ファクシミリ装置の電源立上時にファクシミリ装置側記憶手段に記憶されている送信先識別情報、または、ファクシミリ装置側登録手段により送信先識別情報が登録されたときに、その登録された送信先識別情報と同じ送信先識別情報と同じ送信先識別情報が、コンピュータ側記憶手段に自動的に記憶されるため、ファクシミリ装置およびコンピュータの何れを操作しても、同じ内容の送信先識別情報を見ることができるので便利である。
【図面の簡単な説明】
【図１】  本発明実施形態のファクシミリシステムが接続されている通信回線の構成をブロックで示す説明図である。
【図２】  本発明実施形態のＰＣの外観を示す説明図である。
【図３】  本発明実施形態のファクシミリ装置の外観を示す説明図である。
【図４】  図２に示すＰＣの電気的構成をブロックで示す説明図である。
【図５】  図２に示すファクシミリ装置の電気的構成をブロックで示す説明図である。
【図６】  電話帳２８ｃの構成を示す説明図である。
【図７】  ＣＰＵ３０およびＣＰＵ２５により実行される主な処理内容を示すフローチャートである。
【図８】  ＣＰＵ３０がステップ１００で実行する登録処理およびＣＰＵ２５がステップ２００で実行する同期登録処理の内容を示すフローチャートである。
【図９】  ＣＰＵ３０がステップ１２０で実行する検索要求処理およびＣＰＵ２５がステップ２２０で実行する検索処理の内容を示すフローチャートである。
【図１０】  ＣＰＵ３０がステップ１４０で実行する送信処理の内容を示すフローチャートである。
【符号の説明】
１      ファクシミリシステム
２      ＰＣ
３      ファクシミリ装置
３ｆ    検索ボタン（指示手段）
３ｇ    登録ボタン（ファクシミリ装置側登録手段）
３ｈ    液晶表示部（ファクシミリ装置側表示手段）
２４      ＣＲＴモニタ（コンピュータ側表示手段）
２８      ＨＤＤ（コンピュータ側記憶手段）
２５      ＣＰＵ
３０      ＣＰＵ
３３      ＥＥＰＲＯＭ（ファクシミリ装置側記憶手段）
Ａ      インターネット
【図１】
0003709697.tif 000002
【図２】
0003709697.tif 000003
【図３】
0003709697.tif 000004
【図４】
0003709697.tif 000005
【図５】
0003709697.tif 000006
【図６】
0003709697.tif 000007
【図７】
0003709697.tif 000008
【図８】
0003709697.tif 000009
【図９】
0003709697.tif 000010
【図１０】
0003709697.tif 000011